(57)【要約】【課題】従来のイヤホーンコードホルダーは衿から外れやすく、組み立て部品点数がお多かった。また、コード絡まり防止用のバインダーは、コードを束ねる作業が面倒であり、コードの分類や長さ調節に難点があった。【解決手段】ワニ口クリップにイヤホーンコードを通したグリップを回動自在に装着する。また、コード絡まり防止クリップにおいては、色別にした多連の同一軸を有するクリップでコードを挟み、分類する。【選択図】    図１
2004214996.tif 000002
【特許請求の範囲】
【請求項１】
イヤホーンコードを保持する筒状部分の側面に先端が球体になったアームを有するグリップと、グリップの球体を回動自在に嵌入する穴を有するワニ口クリップより構成されたことを特徴とするイヤホーンコードクリップ。
【請求項２】
掛合部と開閉操作部より構成される複数のクリップを同一の軸心に縦列に配列し、コードを分類して絡まりを防止することを特徴とするコード絡まり防止クリップ。
【発明の詳細な説明】
【０００１】
【発明の属する技術分野】
本発明はイヤホーンなどのコードを衣服に固定するためのコードクリップと電源と機器間や各機器間の配線の絡まりを防止するコード絡まり防止クリップに関している。
【０００２】
【従来の技術】
ワニ口クリップを使用したイヤホーン用のコードクリップによってコードと衣服を同時に挟持させ、ワニ口クリップ自体をコード保持部として機能させる方式が簡単で合理的である。従来のワニ口クリップとコード保持部を一体化したものとして図３のような形式のものが提供されている。このコードクリップは、バネ、シャフト、及び一対の挟み片とコード保持部から構成されている。また、コードホルダーとして上部にイヤホーンコード保持部を設け、下部にホルダーを装着して、ホルダーを襟元に差込使用する方式のものも提案されている。
【０００３】
室内や机上に配線されているコード類に関するコード絡まり防止として、長さが余分になったコードを束ねる方法として合成樹脂製の細長いバインダーが提供されている。このバインダーは根元をコードに巻きつけて締めることでコードと固定し、残りの部分でコードを束ねて先端を固定した部分の穴に差し込んで固定する方法が主として利用されている。
【０００４】
【発明の解決しようとする課題】
従来のワニ口クリップとコード保持部を一体化したものは、図３で認識できるように組み立て部品点数が多くなる問題点があった。イヤホーンコードホルダーにおいては、衿から外れやすく組み立て部品点数が多い問題点があった。
【０００５】
従来、コード絡まり防止に使用されているバインダーは、コードを長くして使用したとき、コードに巻きつけられたバインダー自身の飛び出した先端が邪魔になることが多い。また、コードの長さを変えるとき、バインダーを外してコードの長さを調整し、またコードを束ねる作業が面倒である。コードの本数が多いときは、上手にコードを束ねたり、配列することが難しく、コードの絡まりを防止することができない。
【０００６】
【課題を解決するための手段】
請求項１においては、イヤホーンコードクリップに関している。本発明のイヤホーンクリップはグリップとワニ口クリップの二つの部品より構成されている。イヤホーンコードを保持する筒状部分の溝からコードを入れ、力を加えて口を閉めコードがグリップから外れないようにする。プラスチックでグリップを作成した場合は、圧入によりコードを通すようにすることもできる。グリップの側面からアームを出し、先端に球体を設ける。一方、ワニ口クリップの先端や中央にグリップの球体を回動自在に嵌入する穴を設ける。このワニ口クリップの穴に球体を嵌入するとグリップはどの方向にも動き、グリップに保持されたイヤホーンコードは衿から外れにくくなり、組み立て部品も少なくて済む。
【０００７】
請求項２はコード絡まり防止クリップに関している。色を変えて着色した複数のクリップを同一の軸心に縦列に配列している。例えば、赤色、黄色、青色の３個のクリップで構成された場合、３本の絡まりやすいコードを色別に分類して各クリップを通すことができる。一本のコードである場合は、３個のクリップ全部を使用して止めることができる。クリップが同一の軸心で配列されているので、保管や運搬が簡単である。コードの分類を楽にするため、各クリップが軸心を支点として方向を変えることができるようにすることも可能である。コードは掛合部に挟み、開閉操作部のバネ圧でクリップを開閉する。
【０００８】
【発明の実施の形態】
発明の実施の形態を実施例にもとづき図面を参照して説明する。
図１は請求項１に記載のイヤホーンコードクリップの斜視図である。イヤホーンクリップはグリップ１とワニ口クリップ２の二つの部品より構成されている。グリップ１は溝４を有する筒状部分３と、アーム５、球体６から構成される。
ワニ口クリップは支軸９の前部が挟着部７になり、後部が開閉操作部８になっている。開閉操作部８は押圧力と支軸９や支軸９の近辺に装着されたバネ１０で開閉作動する。上側挟着部７の先端や中央に穴１１が設けられ、グリップ１の球体６を回動自在に嵌入する。このワニ口クリップ２の穴１１に球体６を圧入するとグリップ１はどの方向にも動く。
【０００９】
図２は請求項１に記載のイヤホーンコードクリップの使用例である。ワニ口クリップ２を衿１３に挟着し、ワニ口クリップ２の挟着部７に設けた穴１１にグリップ１のアーム５の先端球体６を圧入しているので、グリップ１はワニ口クリップ２から外れることがなく、どの方向にも回る。グリップ１の筒状部分３の溝４からイヤホーンコード１２を筒状部分３に差し込み、溝４を閉じているので、イヤホーンコード１２がワニ口クリップ２と一体になっていて、ワニ口クリップ２を衿に挟着するとイヤホーンコード１２を衿に固定することができる。
【００１０】
図３は従来の製品であるイヤホーンコードクリップを示している。従来の製品は部品点数も多く、コスト高になっている。
【００１１】
図４は請求項２に記載のコード絡まり防止クリップの斜視図である。３個のクリップ２１、２２、２３を同一の軸心２４に縦列に配列した状態を示している。クリップ２１、２２、２３は別々に掛合部２６を開閉することができるし、開閉操作部２５を纏めて摘めば、同時に全部のクリップ２１、２２、２３の掛合部２６を開閉することもできる。
【００１２】
図５は請求項２に記載のコード絡まり防止クリップの使用例である。３本のコード２７、２８、２９をクリップ２１、２２、２３に纏めて整理した状態を示している。クリップ２１、２２、２３を異なった色に着色していると、コード２７、２８、２９を色区分できるので便利である。
【００１３】
【発明の効果】
本発明のイヤホーンコードクリップは、イヤホーンコードを保持する部分と挟着部が分かれていて、保持する部分が自由に回動するので、イヤホーンコードが邪魔にならない。
【００１４】
部品点数が少なく、安価である。
【００１５】
本発明のコード絡まり防止クリップは手間を掛けずに絡まりやすいコードを分類できる。
【００１６】
収納スペースを取らず、一度に複数のコードを分類できる。
【図面の簡単な説明】
【図１】請求項１に記載のイヤホーンコードクリップの斜視図である。
【図２】請求項１に記載のイヤホーンコードクリップの使用例を示す説明図である。
【図３】従来のイヤホーンコードクリップの説明図である。
【図４】請求項２に記載のコード絡まり防止クリップの斜視図である。
【図５】請求項２に記載のコード絡まり防止クリップの使用例を示す説明図である。
【符号の説明】
１  グリップ
２  ワニ口クリップ
３  筒状部分
４  溝
５  アーム
６  球体
７  挟着部
８  開閉操作部
９  支軸
１０  バネ
１１  穴
１２  イヤホーンコード
１３  衿
１４  ワニ口クリップ
１５  係止部
２１、２２、２３  クリップ
２４  軸心
２５  開閉操作部
２６  掛合部
２７、２８、２９  コード
【図１】
2004214996.tif 000003
【図２】
2004214996.tif 000004
【図３】
2004214996.tif 000005
【図４】
2004214996.tif 000006
【図５】
2004214996.tif 000007